(57)【特許請求の範囲】
【請求項１】
給油装置を含む給油所機器と、該給油所機器に接続されるＰＯＳ端末とを備える給油所システムにおいて、
前記ＰＯＳ端末は、顧客自身が作業を行うセルフサービス方式と作業員が作業を行うフルサービス方式とを切替える選択スイッチを有し、前記給油所機器は、前記選択スイッチで選択されたサービス方式の信号を受信して対応するサービス方式に切替え制御する制御手段を有し、前記給油装置は、ＰＯＳ端末の選択スイッチで選択されたサービス方式の信号を受信して対応するサービス方式に切替え制御する給油制御装置を有し、該給油制御装置ではサービス方式に応じて吐出量制御、給油量上限、給油継続時間、給油案内を制御する手段を有することを特徴とする給油所システム。
【請求項２】
給油装置を含む給油所機器と、該給油所機器に接続されるＰＯＳ端末とを備える給油所システムにおいて、
前記ＰＯＳ端末は、顧客自身が作業を行うセルフサービス方式と作業員が作業を行うフルサービス方式とを切替える選択スイッチを有し、前記給油所機器は、前記選択スイッチで選択されたサービス方式の信号を受信して対応するサービス方式に切替え制御する制御手段を有し、前記給油所機器には、洗車装置を含みＰＯＳ端末の選択スイッチで選択されたサービス方式の信号を受信して対応するサービス方式に切替え制御する洗車制御装置を有し、該洗車制御装置ではサービス方式に応じて洗車案内を制御する手段を有することを特徴とする給油所システム。
【発明の詳細な説明】
【０００１】
【発明の属する技術分野】
本発明は、給油所に設置される給油所機器のサービス形態を切替えることができる給油所システムに関するものである。
【０００２】
【従来の技術】
従来、給油所では売上管理を行うＰＯＳ端末を備えており、このＰＯＳ端末に自動車へ燃料油を供給する複数台の給油装置や洗車装置等の給油所機器が接続されている。このような給油所においては、自動車への給油作業あるいは窓拭き等のサービス作業を作業員が行うフルサービス方式が採用されており、給油所機器もフルサービス作業に合わせた仕様で製造されている。一方、近年では、人件費の削減等のために顧客自身がサービス作業を行うセルフサービス方式を採用する給油所が増加している。
【０００３】
【発明が解決しようとする課題】
給油所においては、給油所機器を顧客の要望に応じフルサービス方式あるいはセルフサービス方式等のサービス形態に対応できるようにすることが望ましいが、それぞれのサービス形態に応じた複数の仕様の機器を製造する必要があり、かつ設備費が増加するおそれがあった。
【０００４】
本発明は上記事情に鑑みなされたもので、給油所に備える各種の給油所機器をサービス形態に対応して切替えて使用できる給油所システムを提供することを目的とする。
【０００５】
【課題を解決するための手段】
上記目的を達成するために請求項１に記載の本発明にあっては、給油装置を含む給油所機器と、該給油所機器に接続されるＰＯＳ端末とを備える給油所システムにおいて、前記ＰＯＳ端末は、顧客自身が作業を行うセルフサービス方式と作業員が作業を行うフルサービス方式とを切替える選択スイッチを有し、前記給油所機器は、前記選択スイッチで選択されたサービス方式の信号を受信して対応するサービス方式に切替え制御する制御手段を有し、前記給油装置は、ＰＯＳ端末の選択スイッチで選択されたサービス方式の信号を受信して対応するサービス方式に切替え制御する給油制御装置を有し、該給油制御装置ではサービス方式に応じて吐出量制御、給油量上限、給油継続時間、給油案内を制御する手段を有することを特徴とするものである。ＰＯＳ端末の選択スイッチにより給油所機器のサービス方式を一括して選択することができ、それぞれの仕様の機器を製造する必要がなくなり、設備費を低減できる。また給油装置をサービス方式に対応させて制御することができるため、操作性がよくなるとともに安全に給油できる。
【０００６】
請求項２に記載の発明にあっては、給油装置を含む給油所機器と、該給油所機器に接続されるＰＯＳ端末とを備える給油所システムにおいて、  前記ＰＯＳ端末は、顧客自身が作業を行うセルフサービス方式と作業員が作業を行うフルサービス方式とを切替える選択スイッチを有し、前記給油所機器は、前記選択スイッチで選択されたサービス方式の信号を受信して対応するサービス方式に切替え制御する制御手段を有し、前記給油所機器には、洗車装置を含みＰＯＳ端末の選択スイッチで選択されたサービス方式の信号を受信して対応するサービス方式に切替え制御する洗車制御装置を有し、該洗車制御装置ではサービス方式に応じて洗車案内を制御する手段を有することを特徴とするものである。ＰＯＳ端末の選択スイッチにより給油所機器のサービス方式を一括して選択することができ、それぞれの仕様の機器を製造する必要がなくなり、設備費を低減できる。また洗車装置をサービス方式に対応させて制御することができるため、操作性がよくなる。
【０００８】
【発明の実施の形態】
以下、本発明を図示の一実施形態により具体的に説明する。図１及び図２は本発明実施形態の給油所システムを説明する図であり、図１は給油所システムの全体構成を説明する図、図２は各機器の構成を説明するブロック図である。
【０００９】
これらの図において、本実施形態の給油所システム１は、給油所の敷地に複数台の給油装置１０及び洗車装置３０等の給油所機器が配置され、これら給油所機器が事務所内に配置された売上管理と機器の統括管理を行うためのＰＯＳ端末４０に接続されており、このＰＯＳ端末４０側においてサービス形態を切替えることで、それぞれの給油所機器がサービス形態に対応できるように構成されている。
【００１０】
給油装置１０は、例えば、レギュラーガソリン、ハイオクガソリン及び軽油等のいずれかの油種を給油する地上設置型の装置であり、その本体ケース１１内には、それぞれの油種の給油機構を構成するポンプモータ１３で駆動される給油ポンプ１４、切換弁１５及び流量パルス発信器１６を有する流量計１７が、順次図示しない地下タンクに連通する給油管１２に接続され、さらに流量計１７には、その流出口に接続された配管１８を介して先端に給油ノズル１９を有する給油ホース２０が接続されている。給油ノズル１９は、本体ケース１１の側面に設けられたノズル掛け２１に掛けられるようになっている。このノズル掛け２１の近傍には、給油ノズル１９の掛け外しを検知するためのノズルスイッチ２２が設けられている。また、本体ケース１１の操作面側には、給油量等を表示する給油量表示器２３及び給油データを設定するための給油設定手段２４が設けられている。この給油設定手段２４は、油種や給油量等の給油設定データを入力するためのテンキー２７と、その入力したデータを表示するための表示器２５とを有し、この表示器２５の近傍には、セルフサービス方式が選択されたときに、顧客に対して給油設定や給油操作を案内するためのスピーカ２６が設けられている。さらに、本体ケース１１内には、給油設定手段２４の給油設定及びノズルスイッチ２２からの信号に基づいて、ポンプモータ１３、切換弁１５を制御し、流量パルス発信器１６からのパルス信号を受けて給油量を計数して給油量表示器２３に表示し、かつスピーカ２６の給油案内を制御する給油制御装置２３が設けられている。
【００１１】
洗車装置３０は、例えば、自動車を跨ぐように門型に形成され洗車機構が設けられた洗車機本体３１が図示しないレール上を往復移動するように構成されており、その一方の脚体の正面側には、洗車工程等を設定するための操作パネルからなる洗車設定手段３２が設けられている。この洗車設定手段３２は、洗車工程の設定や操作を指示するためのテンキー３５と、その表示のための表示器３３とを有し、この表示器３３の近傍には、セルフサービス方式が選択されたときに、顧客に対して洗車操作を案内するスピーカ３４が設けられている。また、洗車機本体３１内には、洗車設定手段３２で設定された洗車工程や操作に基づいて洗車機構や往復移動を制御するとともに、スピーカ３４の洗車案内を制御する洗車制御装置３６が設けられている。
【００１２】
ＰＯＳ端末装置４０は、その本体ケース４１の操作面側に、データや操作指示を入力するテンキー４２と、その表示器４３と、フルサービス方式とセルフサービス方式とを切替える選択スイッチ４４とが設けられている。この選択スイッチ４４では、それぞれの給油所機器毎に切替えることができるようになっている。また、本体ケース４１内には、テンキー４２や選択スイッチ４４からの信号に基づいて表示器４３を制御するとともに、給油制御装置２８や洗車制御装置３６との間でデータの送受信を行うＰＯＳ制御装置４５が設けられている。このＰＯＳ制御装置４５は、給油装置１０の給油制御装置２８から送信されてくる給油データ、洗車装置３０の洗車制御装置３６から送信されてくる洗車データを受信して売上管理と機器の統括管理を行うとともに、後に詳細に説明するように選択スイッチ４４で選択されたサービス方式に基づいてそれぞれの給油所機器を制御するようになっている。
【００１３】
次に、選択されたサービス方式に基づく制御装置の動作を中心に説明する。図２に示すように、給油制御装置２８は、吐出量制御手段２８ａと、給油量上限制御手段２８ｂと、給油時間制御手段２８ｃと、給油案内手段２８ｄ等とを備えている。吐出量制御手段２８ａは、サービス方式に基づいて単位時間当たりの吐出流量の上限値を制限する手段であり、例えば、フルサービス方式では４０リットル／分、セルフサービス方式では３０リットル／分に制御する。給油量上限制御手段２８ｂは、サービス方式に基づいて給油量の上限を制御する手段であり、例えば、フルサービス方式では給油量の上限の制限なし、セルフサービス方式では給油量の上限を１００リットルに制御する。給油時間制御手段２８ｃは、サービス方式に基づいて給油継続時間を制御する手段であり、例えば、フルサービス方式では給油継続時間の上限の制限なし、セルフサービス方式では給油継続時間を４分に制御する。給油案内手段２８ｄは、サービス方式に基づいてスピーカ２６からの給油案内を制御する手段であり、フルサービス方式では給油案内を行わず、セルフサービス方式ではスピーカ２６から給油設定や給油操作等の給油案内を所定の順番で行うように制御する。
【００１４】
洗車制御装置３６は、洗車案内手段３６ａを有する。この洗車案内手段３６ａは、サービス方式に基づいてスピーカ３４からの洗車案内を制御する手段であり、フルサービス方式では洗車案内を行わず、セルフサービス方式ではスピーカ３４から洗車設定や洗車操作等の洗車案内を所定の順番で行うように制御する。
【００１５】
ＰＯＳ制御装置４５は、方式制御手段４５ａを有する。この方式制御手段４５ａは、選択スイッチ４４で選択された給油所機器のサービス形態に関する信号を、対応する給油制御装置２８あるいは洗車制御装置３６へ送信する部分である。
【００１６】
上記構成の給油所システム１の動作を説明する。まず、給油所に来た顧客が給油所機器に対していずれのサービス形態を要望するかを判断し、ＰＯＳ端末装置４０の選択スイッチ４４により対応するいずれかのサービス形態を選択する。選択スイッチ４４で選択されたサービス形態は、ＰＯＳ制御装置４５の方式制御手段４５ａから対応する給油所機器に対し選択されたサービス形態の信号が送信される。例えば、所定の給油装置１０に対してセルフサービス方式が選択されたときには、その信号が給油制御装置２８へ送信され、洗車装置３０に対してフルサービス方式が選択されたときには、その信号が洗車制御装置３６へ送信される。
【００１７】
サービス形態が選択された給油装置１０においては、給油制御装置２３によりサービス形態に対応した制御が行われる。すなわち、給油装置１０にセルフサービス方式が選択されたときには、顧客自身が給油設定と給油操作を行うように、給油案内手段２８ｄがスピーカ２６から給油案内を出力する。顧客は給油案内にしたがって油種や給油量のデータをテンキー２７で入力し表示器２５で確認し、給油ノズル１０をノズル掛け２１から外して給油を開始すると、吐出量制御手段２８ａは、単位時間当たりの吐出流量の上限値を３０リットル／分に制御し、給油量上限制御手段２８ｂは、給油量の上限を１００リットルに制御し、給油時間制御手段２８ｃは、給油継続時間を４分に制御する。また、給油装置１０にフルサービス方式が選択されたときには、給油案内手段２８ｄは、給油案内を行わずに作業員が給油データの設定を行い、給油ノズル１０をノズル掛け２１から外して給油を開始すると、吐出量制御手段２８ａは、単位時間当たりの吐出流量の上限値を４０のリットル／分に制御し、給油量上限制御手段２８ｂは、給油量の上限を制限せず、給油時間制御手段２８ｃは、給油継続時間を制限しない。
【００１８】
サービス形態が選択された洗車装置３０においては、洗車制御装置３６の洗車案内手段３６ａによりサービス形態に対応した制御が行われる。すなわち、洗車装置３０にセルフサービス方式が選択されたときには、顧客自身が洗車案内手段３６ａの制御の元にスピーカ３４から出力される洗車設定や洗車操作等の洗車案内にしたがって、キーボード３５を操作し表示器３３を確認する。また、フルサービス方式が選択されたときには、洗車案内手段３６ａは、給油案内を行わずに作業員が洗車設定や洗車操作を行う。
【００１９】
上記構成の給油所システム１では、給油所に配置される給油装置１０や洗車装置３０等のそれぞれの給油所機器に対して、ＰＯＳ端末４０において選択スイッチ４４でサービス形態を切替えることができ、セルフサービス方式が選択されたときには、顧客に対して給油案内や洗車案内を行い、かつ給油装置１０では、吐出流量の上限値、給油量の上限値、給油継続時間を制限して顧客自身が安全に給油できるように制御し、フルサービス方式が選択されたときには、作業員が行うため給油案内や洗車案内を行わず、かつ給油装置１０においても、吐出流量の上限値、給油量の上限値、給油継続時間を作業員に適した値にしている。したがって、サービス形態毎に給油所機器を製造することがなくなり、設備費を低減することができ、かつＰＯＳ端末４０における操作で給油所機器のサービス形態を簡単に切替えできるため、忙しい昼間をフルサービス方式、顧客が少ない夜間にセルフサービス方式にして効率よく稼動させることができる。
【００２０】
なお、上記実施形態において、給油制御装置２８において、サービス形態に対応して吐出流量の上限値、給油量の上限値、給油継続時間を制御する例を説明したが、セルフサービス方式あるいはフルサービス方式に対応した他の適切な制御をするようにしてもよく、その値についても任意にでき実施形態に限定されない。
【００２１】
【発明の効果】
以上説明したように本発明の給油所システムは、給油装置を含む給油所機器と、給油所機器に接続されるＰＯＳ端末とを備え、ＰＯＳ端末は、顧客自身が作業を行うセルフサービス方式と作業員が作業を行うフルサービス方式とを切替える選択スイッチを有し、給油所機器は、選択スイッチで選択されたサービス方式の信号を受信して対応するサービス方式に切替え制御する制御手段を有することで、ＰＯＳ端末の選択スイッチにより給油所機器のサービス方式を一括して選択することができ、それぞれの仕様の機器を製造する必要がなくなり、設備費を低減できる。
【図面の簡単な説明】
【図１】本発明実施形態の給油所システムの全体構成を説明する図である。
【図２】本発明実施形態の各機器の構成を説明するブロック図である。
【符号の説明】
１  給油所システム
１０  給油装置
１１  本体ケース
１２  給油管
１３  ポンプモータ
１４  給油ポンプ
１５  切換弁
１６  流量パルス発信器
１７  流量計
１８  配管
１９  給油ノズル
２０  給油ホース
２１  ノズル掛け
２２  スイッチ
２３  給油量表示器
２４  給油設定手段
２５  表示器
２６  スピーカ
２７  テンキー
２８  給油制御装置
２８ａ  吐出量制御手段
２８ｂ  給油量上限制御手段
２８ｃ  給油時間制御手段
２８ｄ  給油案内手段
３０  洗車装置
３１  洗車機本体
３２  洗車設定手段
３３  表示器
３４  スピーカ
３５  テンキー
３６  洗車制御装置
３６ａ  洗車案内手段
４０  ＰＯＳ端末
４１  本体ケース
４２  テンキー
４３  表示器
４４  選択スイッチ
４５  ＰＯＳ制御装置
４５ａ  方式制御手段
【図１】
0003661791.tif 000002
【図２】
0003661791.tif 000003